(57)【要約】【課題】  押圧手段の寸法誤差や、ドアの組付け誤差などによって、押圧手段の押し込み量に変動があっても、スイッチを切りかえることができるとともに、スイッチの破損を抑制することができるドアスイッチユニット、及び画像形成装置を提供すること。【解決手段】  スイッチを少なくとも押圧手段の押圧方向に対して移動可能としているので、押圧手段の押し込み量が押圧手段の寸法誤差や、ドアの組付け誤差などによって基準の押し込み量よりも増大しても、スイッチが押圧方向に増大分だけ移動できる。このため、押圧手段のスイッチへの押し圧力を軽減することができ、スイッチの破損を抑制できる。また、弾性部材によって、スイッチを押圧手段の押圧方向と反対方向に付勢しているので、スイッチが押圧手段と弾性的に当接し、押圧手段からスイッチのＯＮ／ＯＦＦが切り換わる程度の押し圧力がスイッチに付与される。【選択図】  図５
2006164918.tif 000002
【特許請求の範囲】
【請求項１】
筐体または、該筐体を開閉するドアの一方にスイッチを備え、他方に該スイッチを押圧する押圧手段を備え、該ドアの開閉動作によって該押圧手段が該スイッチを押圧することで、該スイッチのＯＮ／ＯＦＦが切り換わるドアスイッチユニットにおいて、
該スイッチを少なくとも該押圧手段の押圧方向に対して移動可能に構成し、該押圧手段の押圧方向と反対方向に該スイッチを付勢する弾性部材を備えたことを特徴とするスイッチユニット。
【請求項２】
請求項１のスイッチユニットにおいて、
上記弾性部材を絶縁体で構成したことを特徴とするスイッチユニット
【請求項３】
請求項１または２のスイッチユニットにおいて、
ＪＩＳ−Ｋ６４０１に基づく圧縮残留歪み試験（上記弾性部材を５０［％］圧縮して７０［℃］、２２時間放置した後、解放し３０分径過後の圧縮残留歪み）によって求められる上記弾性部材の圧縮残留歪みを８［％］以下としたことを特徴とするスイッチユニット。
【請求項４】
請求項１乃至３いずれかのスイッチユニットにおいて、
上記筐体またはドアのどちらか一方に取り付けられ、上記スイッチを支持するブラケットを備え、該ブラケットは、上記押圧手段と対向する該スイッチの面と反対側の面に対向する背面部を備え、該背面部と、該押圧手段と対向する該スイッチの面と反対側の面との間に上記弾性部材が設けられていることを特徴とするスイッチユニット。
【請求項５】
請求項１乃至４いずれかのスイッチユニットにおいて、
上記筐体またはドアのうち、上記スイッチが取り付けられる方には、該スイッチを取り付けるための軸孔または、軸を備え、該スイッチは、該軸孔または軸に押圧方向に対して回転自在に取り付けられることを特徴とするスイッチユニット。
【請求項６】
筐体を開閉するドアの開閉動作によって装置内の所定の電源をＯＮ／ＯＦＦするスイッチ手段を備えた画像形成装置において、
該スイッチ手段として請求項１乃至４いずれかのスイッチユニットを用いたことを特徴とする画像形成装置。
【発明の詳細な説明】
【技術分野】
【０００１】
本発明は、画像形成装置等の筐体を開閉するドアの開閉動作によってスイッチのＯＮ／ＯＦＦが切り換わるドアスイッチユニット、及びドアスイッチユニットを備えた画像形成装置に関するものである。
【背景技術】
【０００２】
従来から、この種の画像形成装置では、ジャム処理等を行うためのドアが設けられている。この種の画像形成装置に設けられるスイッチユニットの一例としては、安全上、ドアが開いている状態のときは画像形成装置の動作が行われないよう、ドアの開放動作に連動して画像形成装置の電源を遮断するインターロックスイッチが知られている（特許文献１）。
【０００３】
図１３は、従来のインターロックスイッチ１１００の一例を示す図である。従来のインターロックスイッチ１１００は、図１３に示すように、２つのネジ１４２０、１４１０によって装置本体の側壁７２０に固定されている。インターロックスイッチ１１００のドア側側面１１１０ａには、ドア側に付勢されたボタン１１１０と、このボタン１１１０と当接するレバー１１２０を備えている。このレバー１１２０を押し込むことで、ボタン１１１０がスイッチ内部に移動し、スイッチがＯＮ状態となる。ドアスイッチ１１００には、端子１１３０が設けられており、装置の電源回路と接続されている。また、図示しないドアには、押圧手段としての押し当て棒５００を有している。
ドアを閉めていくと、押し当て棒５００が図中ａ方向に移動してレバー１１２０と当接する。更にドアを閉めていくと、押し当て棒５００がレバー１１２０を装置本体側へ押し込んでいく。レバー１１２０が装置本体側へ押し込まれると、ボタン１１１０がレバー１１２０によってスイッチ内部へ押し込まれ、インターロックスイッチ１１００がＯＦＦ状態からＯＮ状態に切り換わる。このように、ボタン１１１０がレバー１１２０によってスイッチ内部へ押し込まれインターロックスイッチ１１００がＯＮ状態でドアが閉じられる。
【０００４】
【特許文献１】特開２００２−１１６６６８号公報
【発明の開示】
【発明が解決しようとする課題】
【０００５】
しかしながら、従来のインターロックスイッチ１１００では、押し当て棒５００の寸法誤差や、ドアの組付け誤差などによって、押し当て棒５００のレバー１１２０を押し込む量が基準の押し込み量よりも減少すると、レバーが押し込まれずに、インターロックスイッチ１１００がＯＦＦ状態のままでドアが閉じられてしまう問題があった。
そこで、ドアの組付け誤差などによって基準の押し込み量よりも押し込み量が減少した場合でも、スイッチ１１００が押し当て棒５００によって押圧されるようにスイッチを配置することも考えられる。しかしながら、従来のインターロックスイッチ１１００は、図１３に示すように、２つのネジ１４２０、１４１０によって装置本体の側壁７２０に固定されている。このため、押し当て棒５００のレバー１１２０を押し込む量が基準の押し込み量より増大すると、レバー１１２０が必要以上に押圧されて変形したり、インターロックスイッチ１１００が破損したりする問題が発生する。
【０００６】
本発明は、上記問題に鑑みなされたものであり、その目的とするところは、押圧手段の寸法誤差や、ドアの組付け誤差などによって、押圧手段の押し込み量に変動があっても、スイッチを切りかえることができるとともに、スイッチの破損を抑制することができるドアスイッチユニット、及び画像形成装置を提供することである。
【課題を解決するための手段】
【０００７】
上記目的を達成するために、請求項１の発明は、筐体または、該筐体を開閉するドアの一方にスイッチを備え、他方に該スイッチを押圧する押圧手段を備え、該ドアの開閉動作によって該押圧手段が該スイッチを押圧することで、該スイッチのＯＮ／ＯＦＦが切り換わるドアスイッチユニットにおいて、該スイッチを少なくとも該押圧手段の押圧方向に対して移動可能に構成し、該押圧手段の押圧方向と反対方向に該スイッチを付勢する弾性部材を備えたことを特徴とするものである。
また、請求項２の発明は、請求項１のスイッチユニットにおいて、上記弾性部材を絶縁体で構成したことを特徴とするものである。
また、請求項４の発明は、請求項１乃至３いずれかのスイッチユニットにおいて、上記筐体またはドアのどちらか一方に取り付けられ、上記スイッチを支持するブラケットを備え、該ブラケットは、上記押圧手段と対向する該スイッチの面と反対側の面に対向する背面部を備え、該背面部と、該押圧手段と対向する該スイッチの面と反対側の面との間に上記弾性部材が設けられていることを特徴とするものである。
また、請求項５の発明は、請求項１乃至４いずれかのスイッチユニットにおいて、上記筐体またはドアのうち、上記スイッチが取り付けられる方には、該スイッチを取り付けるための軸孔または、軸を備え、該スイッチは、該軸孔または軸に押圧方向に対して回転自在に取り付けられることを特徴とするものである。
また、請求項６の発明は、筐体を開閉するドアの開閉動作によって装置内の所定の電源をＯＮ／ＯＦＦするスイッチ手段を備えた画像形成装置において、該スイッチ手段として請求項１乃至４いずれかのスイッチユニットを用いたことを特徴とするものである。
【発明の効果】
【０００８】
請求項１乃至６の発明によれば、スイッチを少なくとも押圧手段の押圧方向に対して移動可能に構成している。このため、押圧手段の押し込み量が押圧手段の寸法誤差や、ドアの組付け誤差などによって基準の押し込み量よりも増大しても、スイッチが押圧方向に増大分だけ移動することができる。このため、押圧手段のスイッチへの押し圧力を軽減することができ、スイッチの破損を抑制することができる。また、弾性部材によって、スイッチを押圧手段の押圧方向と反対方向に付勢しているので、スイッチが押圧手段と弾性的に当接し、押圧手段からスイッチのＯＮ／ＯＦＦが切り換わる程度の押し圧力がスイッチに付与される。これにより、ドアの開閉動作によってスイッチのＯＮ／ＯＦＦを良好に切りかえることができる。
また、押圧手段の押し込み量が押圧手段の寸法誤差や、ドアの組付け誤差などによって基準の押し込み量よりも押し込み量が減少した場合でも、上記スイッチが押圧手段によって押圧方向に移動するような位置にスイッチを配置しておけば、以下のような効果を有することができる。すなわち、ドアの組付け誤差などによって基準の押し込み量よりも押し込み量が減少した場合でも、確実に押圧手段がスイッチを押し圧することができる。その結果、ドアの組付け誤差などによって基準の押し込み量よりも押し込み量が減少した場合でも、ドアの開閉動作によってスイッチのＯＮ／ＯＦＦを確実に切りかえることができる。
【発明を実施するための最良の形態】
【０００９】
以下、本発明を適用した画像形成装置について説明する。
まず、本画像形成装置の基本的な構成について説明する。図１は、本実施形態に係る画像形成装置の概略構成を示す正面図である。
【００１０】
この画像形成装置１は、画像を形成するための画像形成ユニット２、装置本体１の前面側（図１中手前側）から抜き差し可能で、多数枚の用紙Ｐを積載して収納する給紙カセット４１を備えている。また、装置本体１の上方には、原稿を読み取る画像読取部１１が配設されている。
【００１１】
上記画像形成ユニット２は、キャリッジ２３、キャリッジ２３をガイドするキャリッジガイド２１を備えている。また、キャリッジ２３には、Ｙ（イエロー）、Ｍ（マゼンタ）、Ｃ（シアン）、Ｂ−１（ブラック）、Ｂ−２（ブラック）色のそれぞれインク液を用紙に吐出する吐出口を備えた図示しないヘッドがそれぞれ設けられている。
【００１２】
上記画像形成ユニット２は、搬送ベルト３１を備えており、この搬送ベルト３１は、駆動ローラ３２及び従動ローラ３３に適当なテンションで掛け渡されている。駆動ローラ３２は、図示しない駆動モータによって所定の回転速度で回転駆動され、それに伴い搬送ベルト３１も所定の速度で回転する。また、搬送ベルト３１表面を帯電させる帯電ローラ３４を有しており、帯電ローラ３４には図示しない高圧電源から電圧が印加されている。また、この画像形成ユニット２は、搬送ベルト３１を画像形成部２の対向する領域でガイドするガイド部材（プラテン）３５と、用紙Ｐを駆動ローラ３２に対向する位置で搬送ベルト３１に押し付ける押さえコロ３６とを備えている。
画像形成ユニット２は、装置本体から着脱可能に設けられている。
【００１３】
また、装置本体内には、インクカートリッジ３４Ｃ、３４Ｂ−１、３４Ｂ−２、３４Ｍ、３４Ｙを収容したカートリッジ装填部３５を有している。各インクカートリッジ３４Ｃ、３４Ｂ−１、３４Ｂ−２、３４Ｍ、３４Ｙは、図示しない供給ポンプに接続しており、供給ポンプを適宜駆動して、インクカートリッジ３４内のインク液を、キャリッジ２３に供給している。また、各色のインクカートリッジ３４は、カートリッジ装填部３５に対し着脱可能に取り付けられている。
【００１４】
上記画像読取部１１は、コンタクトガラス１２上に載置された原稿（不図示）の読み取り走査を行うための、原稿照明用光源１３とミラー１４よりなる第１走行体１５と、２つのミラー１６、１７からなる第２走行体１８とが往復移動自在に配設されている。読み取り走行体１５、１８により走査された画像情報は、レンズ１９の後方に設置されているＣＣＤなどの画像読み取り素子２０に画像信号として読み込まれる。この読み込まれた画像信号は、デジタル化され画像処理される。画像処理された信号に基づいて、上記画像形成部２により、用紙Ｐに画像が形成される。
【００１５】
また、この画像形成装置は、画像形成部２で形成する画像データを外部の機器から通信ケーブル或いはネットワークを介して受信可能であり、受信した画像データを処理して画像形成することができる。画像形成部２で形成する画像データを入力する外部機器としては、パーソナルコンピュータ等の情報処理装置、イメージスキャナなどの画像読取装置、デジタルカメラなどの撮像装置などが挙げられる。
【００１６】
次に、本実施形態の画像形成装置１の画像形成動作について説明する。
まず、画像読取部１１のコンタクトガラス１２上に原稿をセットし、不図示のスタートスイッチを押す。すると、第１走行体１５および第２走行体１８が走行して、第１走行体１５で光源１３から光を発射するとともに原稿面からの反射光をさらに反射して第２走行体１８に向ける。第２走行体１８に向けられた原稿面からの反射光は、第２走行体１８のミラーで反射され、レンズ１９を通して画像読み取り素子２０に入れられ、原稿内容が読み取られ、画像データが生成される。または、図示しないパーソナルコンピュータ等の外部機器から通信ケーブル等を介して画像情報である画像データが送られる。
【００１７】
次に、給紙カセット４１から用紙Ｐを繰り出し、分離ローラ４２及びフリクションパッド４３で１枚ずつ分離して搬送する。搬送された用紙は、給紙ローラ対４９で画像形成ユニット２へ搬送される。画像形成ユニット２へ搬送された用紙Ｐは、押さえコロ３６により搬送ベルト３１に押さえつけられる。搬送ベルト３１の表面は帯電ローラ３４によって帯電されており、用紙Ｐを静電的に吸着させる。静電的に吸着させられた用紙Ｐは、搬送ベルト３１によってキャリッジ２３と対向する位置へ搬送させられる。用紙Ｐがキャリッジ２３と対向する位置まできたら、搬送ベルト３１の移動を停止して、キャリッジ２３が画像データに応じて主走査線方向に往復移動しながら、停止した用紙の所定箇所に所定のインク液を吐出して１ライン分の画像を用紙Ｐに記録する。ここで、１ラインとは、用紙Ｐを停止させた状態で、図示しないヘッドが用紙Ｐへ記録可能な副走査線方向の範囲を言う。主走査線方向に１ライン分の記録が終了したら、搬送ベルト３１を所定時間駆動させ、用紙を１ライン分移動させて停止する。そして、上述同様、キャリッジ２３が画像データに応じて主走査線方向に往復移動しなが１ライン分の画像を記録する。このような工程を所定回数繰り返し行い、用紙に所望の画像を形成する。所望の画像が形成された用紙Ｐは、排紙ローラと拍車とからなる排紙ローラ対７４、７５、７６、７７によって排紙トレイ７へ搬送される。
【００１８】
この画像形成装置１は、開閉可能な開閉ドアを複数備えている。開閉ドアは、用紙搬送路内で用紙詰まりが検知されたとき、開閉可能な開閉扉を開いて、外部から用紙搬送路に詰まった用紙を取り除くようになっている。また、インクカートリッジ３４のインクが無くなったことが検知されたとき、開閉ドアを開いて、新たなインクカートリッジ３４と交換できるようになっている。
【００１９】
図２（ａ）は、画像形成装置の開閉ドアの位置を示す図であり、図２（ｂ）は、開閉ドアが開いた状態を示す図である。
図２（ａ）に示すように、画像形成装置は、画像形成装置の右側側面に第１の開閉ドア５０、左側側面に第2の開閉ドア５１を備えている。また、排紙トレイ７には、第３の開閉ドア５２、第４の開閉ドア５３が設けられている。また、画像形成装置の正面には、第５の開閉ドア５４が設けられている。図２（ｂ）に示すように、第１および第２の開閉ドア５０、５１は、画像形成装置側面に対して下側へ回動することで、開くようになっている。また、第３の開閉ドア５２は、排紙トレイ７に対して上側へ回動することで開くようになっており、第４の開閉ドア５３は、排紙トレイ７に対して図中右側へ水平移動させることで開くようになっている。用紙搬送路内で用紙詰まりが検知されたときに、これら第１〜第４の開閉ドアを開いて、画像形成装置内から詰まった用紙を排出する。
第５の開閉ドア５４は、図中手前側へ回動することで開くようになっており、新たなインクカートリッジ３４と交換できるようになっている。
【００２０】
これら開閉ドアには、それぞれ画像形成装置の電源をＯＮ／ＯＦＦするためのインターロックスイッチが設けらており、開閉ドアが開いた状態ときに、スイッチがＯＦＦとなり、画像形成装置の電源が切れるようになっている。
以下、第１開閉ドアの開閉によって、電源がＯＮ／ＯＦＦされるインターロックスイッチ１００について説明するが、各開閉ドアに設けられるインターロックスイッチ１００は、第１開閉ドアに設けられるインターロックスイッチ１００と同様の構成を有している。
【００２１】
図３は、第１開閉ドア５０の斜視図であり、図４は、孔部６０周辺の拡大図である。図３、図４に示すように、第１開閉ドア５０が開いたときに第１開閉ドア５０の姿勢を保持する保持部材６２が固定されている面６２ａには、孔部６０とインターロックスイッチユニット１００が内側から取り付けられる取り付け部６１が設けられている。また、図３に示すように、保持部材６２が固定されている面６２ａには、第１開閉ドア５０の開閉を検知する検知部材６３が取り付けられている。この検知部材６３は、保持部材６２が固定されている面６２ａから突出するボタン６３ａが設けられている。第１開閉ドア５０が閉まった状態のとき、このボタン６３ａと第１開閉ドア５０とが当接して、ボタン６３ａを装置内側へ押し込む。これにより、検知部材６３は、第１開閉ドアが閉まった状態であると検知することができる。なお、本実施形態では、インターロックスイッチユニット１００とは別に、第１開閉ドア５０の開閉を検知する検知部材６３が取り付けられているが、インターロックスイッチユニット１００で、電源をＯＮ／ＯＦＦする機能と第１開閉ドアが閉まった状態であると検知する機能とを兼用させるようにしても良い。
【００２２】
図５は、インターロックスイッチユニット１００の斜視図である。図５に示すように、インターロックスイッチユニット１００は、ブラケット１２０にインターロックスイッチ１１０と、弾性部材１３０とが取り付けられている。
インターロックスイッチ１１０は、図示しない軸孔を備え、この軸孔にネジ１４０を挿入してインターロックスイッチ１１０をブラケット１２０の側板１２１に回転自在に取り付ける。インターロックスイッチ１１０のドア側側面１１０ａには、ドア側に付勢されたボタン１１１と、このボタン１１１と当接するレバー１１２を備えている。ボタン１１１がスイッチ内部にあるときは、スイッチがＯＮ状態となり、このボタン１１１がスイッチ１１０から突出している状態のときは、スイッチがＯＦＦ状態となる。また、レバー１１２は、このボタン１１１と当接して、ボタン１１１を容易にドアスイッチ内部へ移動させるために設けられている。このレバー１１２を押し込むことで、ボタン１１１がスイッチ内部に移動し、スイッチがＯＮ状態となる。ドアスイッチ１１０の装置本体側側面１１０ｂには、端子１１３が設けられており、装置の電源回路と接続されている。
【００２３】
弾性部材１３０は、ブラケット１２０の側板１２１から延びてドアスイッチ１１０の装置本体側側面と対向する背面部１２２に取り付けられており、ドアスイッチ１１０の装置本体側側面１１０ｂと当接している。これにより、装置本体に開閉ドア５０と対向する壁面７１が形成されていなくても、インターロックスイッチ１１０を押し圧棒５０ａ側へ付勢することができる。
【００２４】
弾性部材１３０の弾性係数は、ボタン１１１の弾性係数よりも高く設定されており、ボタン１１１がレバー１１２によってスイッチ内部に移動した後に、弾性部材１３０が変形するようになっている。
【００２５】
図６（ａ）、（ｂ）は、インターロックスイッチユニット１００の動作を説明する図である。図６（ａ）に示すように、第１開閉ドア５０には、押し当て棒５０ａを有している。図６（ａ）に示す矢印ａ方向に第１開閉ドア５０を移動させて、第１開閉ドア５０を閉めていくと、押し当て棒５０ａが孔部６０を貫通してレバー１１２と当接する。更に矢印ａ方向に第１開閉ドア５０を移動させて、第１開閉ドア５０を閉めていくと、レバー１１２が押し当て棒５０ａによって装置本体側へ移動させられる。レバー１１２が装置本体側へ移動すると、ボタン１１１がレバー１１２によってスイッチ内部へ移動する。そして、レバー１１２がボタン１１１をスイッチ内部へ約半分くらい押し込んだところで、インターロックスイッチ１１０がＯＦＦ状態からＯＮ状態に切り換わる。さらに、第１開閉ドア５０を閉めていくと、図６（ｂ）に示すように、レバー１１２がインターロックスイッチ１１０のドア側側面１１０ａと当接して、ボタン１１１を完全にスイッチ内部に埋没させる。この状態から、さらに第１開閉ドア５０を閉めていくと、インターロックスイッチ１１０が弾性部材１３０を変形させながら、図中ｂ方向に回転移動する。そして、図６（ｂ）に示すように、弾性部材１３０が変形した状態で第１開閉ドア５０が閉じた状態となる。
【００２６】
押し当て棒５０ａのインターロックスイッチ１１０の押し込み量は、押し当て棒５０ａの寸法誤差や、第１開閉ドア５０の組付け誤差などによって変動する。押し込み量が最小となったときでも弾性部材が１［ｍｍ］以上圧縮するように、インターロックスイッチユニット１００の組付け位置が設定されている。これにより、押し当て棒の寸法誤差や、第１開閉ドアの組付け誤差などがあっても、第１開閉ドアを閉じたとき、確実にインターロックスイッチ１１０がＯＦＦ状態からＯＮ状態に切り換えることができる。また、弾性部材１３０の厚みは、押し込み量が最大となったときでも押し込み量を吸収できるような厚みに設定されている。これにより、押し当て棒５０ａによってレバー１１２などが変形するのを防止することができる。本実施形態においては、弾性部材１３０の厚みを６［ｍｍ］としている。
【００２７】
また、図５に示すように、インターロックスイッチ１１０の装置側側面１１０ｂには、接続端子１１３が設けられている。このため、インターロックスイッチ１１０の装置側側面１１０ｂと当接する弾性部材１３０と接続端子とが近い位置に配置される。弾性部材１３０を非絶縁性の材質で構成した場合、何かのはずみで弾性部材１３０と接続端子１１３とが接触すると、ショートして装置やインターロックスイッチが故障するなどの不具合を発生するおそれがある。このため、弾性部材１３０は、非絶縁性の材質で構成するのが好ましい。
【００２８】
さらに、弾性部材１３０は、圧縮残留歪みが低く、長期に渡り反発性が維持できる部材で構成するのが好ましい。弾性部材１３０が圧縮残留歪みの高い部材である場合、弾性部材１３０のへたりによって、反発性が維持できなくなってしまう。弾性部材１３０の反発性が得られなくなってしまうと、弾性部材１３０のドア側への付勢力がボタン１１１のドア側への付勢力よりも小さくなってしまう。弾性部材１３０のドア側への付勢力がボタン１１１のドア側への付勢力よりも小さくなってしまうと、押し当て棒５０ａでレバーを押し圧したとき、レバーによってボタンがスイッチ内部へ移動せずに、インターロックスイッチ全体が回転してしまう。その結果、ドアを閉じた状態でも、ボタンがスイッチ内部へ移動せずに、スイッチがＯＮ状態に切り換わらない不具合が生じる。
また、上述したように、第１開閉ドア５０が閉じた状態のとき、弾性部材１３０は圧縮している。第１開閉ドア５０は、ほとんどが閉じた状態であるため、弾性部材１３０は、長期間圧縮した状態となっている。弾性部材１３０が圧縮残留歪みの高い部材である場合、弾性部材１３０がへたってきて、反発性が維持できなくなってしまう。すると、ドアが閉じた状態で、インターロックスイッチ１１０のボタン１１１の付勢力によって、インターロックスイッチ本体が装置本体側へ回転する。すると、ボタン１１１がインターロックスイッチの本体から突出して、インターロックスイッチ１１０のスイッチがON状態からOFF状態になってしまう。その結果、画像が形成できない状態となってしまう。しかし、弾性部材１３０を圧縮残留歪みが低く、長期に渡り初期の厚みを維持することができる部材で構成すれば、経時にわたり弾性部材１３０の反発性を維持することができ、上記不具合が生じることを抑制することができる。
【００２９】
弾性部材１３０の圧縮永久歪みは、ＪＩＳ−Ｋ６４１０の条件に従って求めたものである。具体的には、５０％圧縮後７０℃×２２時間放置し、その後解放する。そして、解放してから３０分径過後の厚み変化を求めた値である。弾性部材１３０の圧縮永久歪みは、（１／２）（１［ｍｍ］／弾性部材の厚み［ｍｍ］）×１００［％］以下のものが好ましい。弾性部材１３０の圧縮永久歪みが（１／２）（１［ｍｍ］／弾性部材の厚み［ｍｍ］）×１００［％］以上の場合、押し込み量が最小のときに経時にわたり十分な反発力が得られず、上記のような不具合が発生してしまう。なお、本実施形態においては、弾性部材の厚みを６［ｍｍ］としているので、圧縮永久歪みは、（１／２）（１／６）×１００＝８［％］以下が好ましい。
【００３０】
上述したように、本実施形態に用いられる弾性部材１３０としては、圧縮永久歪みが８［％］以下で、絶縁性のものが好ましく、高密度マイクロセルウレタンフォームやシリコンフォームからなる発泡体が好ましい。具体的には、ＰＯＲＯＮ（商標）や、ナンネックス（商標）のＢＦ−１０００や、ＨＴ−８００シリーズが好ましい。
【００３１】
次に、インターロックスイッチユニット１００は、上述に限らず、種々変更可能である。例えば、図７に示すように弾性部材１３０をバネで構成するようにしても良い。この場合、バネは、絶縁性の材料で構成したり、金属などの非絶縁性の部材に絶縁性の材料をコーテイングしたりする等して、バネを絶縁性とすることが好ましい。これにより、端子１１３との接触によるショートを防ぐことができる。
【００３２】
また、図８や、図９に示すように、インターロックスイッチユニット１００を回動自在に装置本体に取り付けて、押し当て棒５０ａの押し込みを吸収するようにしてもよい。この場合は、図８、図９に示すように、インターロックスイッチ１１０を２つのネジ１４１、１４２によってブラケット１２０に固定する。ブラケットの側面板１２１は、装置本体の側壁７２にネジ１２５によって回動自在に取り付けられる。そして、ブラケット１２０の背面板１２２に弾性部材１３０を取り付けて、装置本体の開閉ドア５０と対向する壁面７１と当接させる。なお、図８は、弾性部材１３０を発泡体としており、図９は、弾性部材１３０をバネとしている。
図８、図９に示すように、開閉ドアを閉めていくと、開閉ドア５０に設けられた押し当て棒５０ａがレバー１１２と当接して、インターロックスイッチ１１０のボタン１１１をスイッチ内部へ押し込む。レバー１１２がインターロックスイッチのドア側側面１１０ａと当接した状態から、さらに押し当て棒５０ａで押し込むと、ブラケット１２０が、装置本体の側壁７２に取り付けられた所を中心として矢印ｃ方向に回動する。すると、弾性部材１３０が弾性変形して、ブラケット１２０をドア側へ付勢する。そして、弾性部材１３０の反発力によってブラケット１２０がドア側へ付勢された状態で開閉ドアが閉じられる。図８、図９に示すインターロックスイッチユニット１００においても、押し当て棒５０ａの押し込み量を吸収することができ、インターロックスイッチ１１０の破損を抑制できる。また、弾性部材１３０によって、ブラケット１２０とともにインターロックスイッチ１１０をドア側へ付勢しているので、押し当て棒５０ａがインターロックスイッチ１１０を押し込んだときに、押し当て棒の押し圧により、インターロックスイッチ１１０のスイッチをＯＦＦ状態からＯＮ状態に切りかえることができる。
【００３３】
また、図１０、図１１に示すように、インターロックスイッチ１１０を直接装置本体の側壁７２に回動自在に取り付けて、ブラケット１２０を無くすこともできる。このように、ブラケット１２０を無くすことができるので、部品点数が減り、インターロックスイッチユニット１００を安価にすることができる。
図１０、図１１に示すインターロックスイッチユニット１００は、インターロックスイッチ１１０がネジ１４１によって装置本体の側壁７２に回動自在に取り付けられている。インターロックスイッチ１１０の装置本体側側面１１０ｂには、弾性部材１３０が取り付けられており、装置本体の開閉ドアと対向する壁面７１と当接させている。なお、図１０は、弾性部材１３０を発泡体としており、図１１は、弾性部材１３０をバネとしている。図１１に示すインターロックスイッチ１１０は、接続端子１１３がバネと接触してショートを起こさないよう、接続端子をインターロックスイッチの上面に設けている。
図１０、図１１に示すインターロックスイッチユニット１００は、上述同様、開閉ドアに設けられた押し当て棒５０ａによってレバーが押し込まれて、インターロックスイッチがＯＮ状態となった状態からさらに押し当て棒５０ａによって押し込まれると、インターロックスイッチ１１０が、ネジ１２５を中心として装置本体側へ回動する。すると、弾性部材１３０が弾性変形して、インターロックスイッチ１１０をドア側へ付勢する。そして、弾性部材１３０の反発力によってインターロックスイッチ１１０がドア側へ付勢された状態で開閉ドアが閉じられる。これにより、押し当て棒５０ａの押し込み量を吸収することができ、インターロックスイッチ１１０の破損を抑制できる。また、弾性部材１３０によって、インターロックスイッチ１１０をドア側へ付勢しているので、押し当て棒５０ａがインターロックを押し込んだときに、押し当て棒の押し圧により、インターロックスイッチ１１０のスイッチをＯＦＦ状態からＯＮ状態に切りかえることができる。
【００３４】
さらに、図１２に示すように、インターロックスイッチ１１０を弾性部材１３０を介して装置本体の開閉ドアと対向する壁面７１に取り付けるようにしても良い。この場合は、インターロックスイッチ１１０の装置本体側側面に接着材などを介して弾性部材１３０の一方の面と固定する。そして、弾性部材１３０の他方の面を接着材などを介して装置本体の開閉ドアと対向する壁面７１に固定する。これにより、インターロックスイッチユニット１００をネジ等で装置本体に取り付ける必要がなくなり、インターロックスイッチユニット１００の取り付けを容易に行うことができる。
図１２に示すインターロックスイッチユニット１００は、押し当て棒５０ａによってレバー１１２が押し込まれて、スイッチがＯＮ状態となった状態からさらに押し当て棒５０ａが押し込まれると、インターロックスイッチ１１０全体が弾性部材１３０を変形させながら装置本体側へ移動する。このように、図１２に示すインターロックスイッチユニット１００においても、弾性部材１３０によって、押し当て棒５０ａの押し込み量を吸収することができる。また、インターロックスイッチ１１０をドア側へ付勢しているので、押し当て棒５０ａがインターロックを押し込んだときに、押し当て棒の押し圧により、インターロックスイッチ１１０のスイッチをＯＦＦ状態からＯＮ状態に切りかえることができる。
【００３５】
本実施形態においては、装置本体側にインターロックスイッチを設けた例について説明したが、インターロックスイッチをドア側に設け、装置本体側に押し当て棒を備えた構成であってもよい。また、本実施形態においては、インターロックスイッチユニットを例に説明したが、これに限らず、上記ドアの開閉を検知する検知部材６３に本発明のスイッチユニットを用いることも可能である。また、画像形成装置に限らず、種々の開閉ドアに本実施形態のスイッチユニットを用いることができる。
【００３６】
（１）
以上、本実施形態のドアスイッチユニットによれば、押圧手段としての押し当て棒５０ａの寸法誤差や、ドアの組付け誤差などによって、押し当て棒５０ａの押し込み量に変動があっても、インターロックスイッチを切りかえることができるとともに、インターロックスイッチの破損を抑制することができる。
（２）
また、本実施形態のドアスイッチユニットによれば、上記弾性部材１３０を絶縁体で構成している。これにより、接続端子１１３と弾性部材とがなんらかのはずみで接触しても、ショートすることがない。このため、ショートによって、装置やインターロックスイッチが故障する等の不具合を抑制することができる。
（３）
また、本実施形態のドアスイッチユニットによれば、ＪＩＳ−Ｋ６４０１に基づく圧縮残留歪み試験（弾性部材を５０［％］圧縮して７０［℃］、２２時間放置した後、解放し３０分径過後の圧縮残留歪み）によって求められる弾性部材１３０の圧縮残留歪みを８［％］以下としている。これにより、長期にわたり弾性部材のドア側への付勢力をボタン１１１のドア側への付勢力以上に保つことができる。その結果、押し当て棒５０ａでインターロックスイッチ１１０を押圧したとき、インターロックスイッチ１１０のボタン１１１がスイッチ内部に押し込まれずに、弾性部材のみが変形してドアが閉じられてしまうことを長期に渡って抑制することができる。よって、長期に渡りドアの開閉動作によってスイッチのＯＮ／ＯＦＦを行うことができる。
（４）
また、本実施形態のドアスイッチユニットによれば、インターロックスイッチの押し当て棒５０ａと対向する面と反対側の面に対向する背面部をブラケット１２０に設け、背面部とインターロックスイッチ１１０の押し圧棒５０ａと対向する面の反対側の面との間に上記弾性部材を設けている。これにより、インターロックスイッチの押し圧棒５０ａと対向する面の反対側の面と対向する壁面が装置本体になくても、インターロックスイッチの押し圧棒５０ａと対向する面の反対側の面からインターロックスイッチ１１０を押し圧棒５０ａ側へ弾性部材１３０で付勢することができる。
（５）
また、図１２のように、インターロックスイッチ１１０を弾性部材１３０を介して装置本体側に取り付ける場合、取り付け誤差によってインターロックスイッチ１１０が装置本体に対して奥行方向または上下方向に大きくずれてしまう場合がある。このように奥行方向や上下方向にインターロックスイッチ１１０が大きくずれてしまうと、押し当て棒がインターロックスイッチ１１０のレバーと当接することができずに、ドアの開閉動作によってスイッチのＯＮ／ＯＦＦを行うことができなくなってしまうおそれがある。しかし、本実施形態のドアスイッチユニットは、装置本体に軸孔または軸を設け、この軸孔または軸にインターロックスイッチを押圧方向に対して回転自在に取り付けている。このように、インターロックスイッチを装置本体の軸孔または軸に取り付けることで、大きな取り付け誤差を生じることなく、押し当て棒がインターロックスイッチ１１０のレバーと当接する位置にインターロックスイッチを取り付けることができる。
（６）
また、本実施形態の画像形成装置によれば、上記（１）〜（５）の特徴点を有するドアスイッチユニットを用いることで、押圧手段の寸法誤差や、ドアの組付け誤差などによって、押圧手段の押し込み量に変動があっても、スイッチを切りかえることができるとともに、スイッチの破損を抑制することができる。
【図面の簡単な説明】
【００３７】
【図１】画像形成装置の概略構成を示す正面図。
【図２】（ａ）は、画像形成装置の各開閉ドアの位置を示す図であり、（ｂ）は、各開閉ドアが開いた状態を示す図。
【図３】第１開閉ドアの斜視図でる。
【図４】第１開閉ドアと対向する装置側面に設けられた孔部周辺の拡大図である。
【図５】インターロックスイッチユニットの概略斜視図。
【図６】インターロックスイッチユニットの動作を説明する図。
【図７】インターロックスイッチユニットの弾性部材をバネとした例を示す図。
【図８】インターロックスイッチユニットを回動自在に装置本体に取り付けた例を示す図。
【図９】回動自在に装置本体に取り付けたインターロックスイッチユニットの弾性部材をバネとした例を示す図。
【図１０】インターロックスイッチを直接装置本体の側壁に回動自在に取り付けた例を示す図。
【図１１】インターロックスイッチを直接装置本体の側壁に回動自在に取り付けたインターロックスイッチユニットの弾性部材をバネとした例を示す図。
【図１２】インターロックスイッチを弾性部材を介して装置本体の開閉ドアと対向する壁面に取り付けた例を示す図。
【図１３】従来のインターロックスイッチユニットの概略構成図。
【符号の説明】
【００３８】
１      画像形成装置
７      排紙トレイ
１１    画像読取部
２３    キャリッジ
４１    給紙カセット
５０    第１開閉ドア
１００  インターロックスイッチユニット
１１０  インターロックスイッチ
１１１  ボタン
１１２  レバー
１１３  接続端子
１２０  ブラケット
１３０  弾性部材
【図１】
2006164918.tif 000003
【図２】
2006164918.tif 000004
【図３】
2006164918.tif 000005
【図４】
2006164918.tif 000006
【図５】
2006164918.tif 000007
【図６】
2006164918.tif 000008
【図７】
2006164918.tif 000009
【図８】
2006164918.tif 000010
【図９】
2006164918.tif 000011
【図１０】
2006164918.tif 000012
【図１１】
2006164918.tif 000013
【図１２】
2006164918.tif 000014
【図１３】
2006164918.tif 000015